(57)【特許請求の範囲】
【請求項１】
記憶部、制御部および表示部を備えた画面制御装置であって、
前記記憶部は、
少なくとも顧客番号と、不動産管理、融資業務管理、販売管理または財務管理における作業目的と、が対応付けられた画面データを記憶する画面データ記憶手段、
を備え、
前記制御部は、
前記顧客番号および前記作業目的を入力させるための第一の画面を前記表示部に表示させる第一表示実行手段と、
前記第一表示実行手段により表示された前記第一の画面に入力された前記顧客番号および前記作業目的に基づいて、前記画面データ記憶手段を検索して対応する前記画面データを抽出する抽出手段と、
前記抽出手段により抽出された前記画面データの一覧を表示させるための第二の画面を前記表示部に表示させる第二表示実行手段と、
前記第二表示実行手段により表示された前記画面データの一覧から、所望の前記画面データが選択された場合に、当該選択された前記画面データを表示させるための第三の画面を前記表示部に表示させる第三表示実行手段と、
を備えたことを特徴とする画面制御装置。
【請求項２】
前記第一の画面、前記第二の画面および前記第三の画面はＷｅｂ画面であること、
を特徴とする請求項１に記載の画面制御装置。
【請求項３】
前記第一の画面は、前記画面データ記憶手段に記憶された前記顧客番号または前記作業目的を一覧で表示し、当該一覧から選択させることにより、前記顧客番号または前記作業目的を入力させること、
を特徴とする請求項１または２に記載の画面制御装置。
【請求項４】
前記制御部は、
前記第一の画面に入力された前記作業目的に基づいて、前記第三の画面の所定の操作を制限させる制限手段、
を更に備え、
前記第三表示実行手段は、前記第二表示実行手段により表示された前記画面データの一覧から、所望の前記画面データが選択された場合に、前記制限手段により前記所定の操作を制限された前記第三の画面を前記表示部に表示させること、
を特徴とする請求項１から３のいずれか一つに記載の画面制御装置。
【請求項５】
前記作業目的は、
台帳新規入力、台帳修正入力、本台帳確認、作業台帳閲覧、台帳決裁、台帳削除、新規入力、再評価、閲覧、ファイル添付、および／または、書類登録の目的であること、
を特徴とする請求項１から４のいずれか一つに記載の画面制御装置。
【請求項６】
記憶部、制御部および表示部を備えた画面制御装置で実行される画面制御方法であって、
前記記憶部は、
少なくとも顧客番号と、不動産管理、融資業務管理、販売管理または財務管理における作業目的と、が対応付けられた画面データを記憶する画面データ記憶手段、
を備え、
前記制御部で実行される、
前記顧客番号および前記作業目的を入力させるための第一の画面を前記表示部に表示させる第一画面表示ステップと、
前記第一画面表示ステップにて表示された前記第一の画面に入力された前記顧客番号および前記作業目的に基づいて、前記画面データ記憶手段を検索して対応する前記画面データを抽出する画面データ抽出ステップと、
前記画面データ抽出ステップにて抽出された前記画面データの一覧を表示させるための第二の画面を前記表示部に表示させる第二画面表示ステップと、
前記第二画面表示ステップにて表示された前記画面データの一覧から、所望の前記画面データが選択された場合に、当該選択された前記画面データを表示させるための第三の画面を前記表示部に表示させる第三画面表示ステップと、
を含むことを特徴とする画面制御方法。
【請求項７】
記憶部、制御部および表示部を備えた画面制御装置に実行させるための画面制御プログラムであって、
前記記憶部は、
少なくとも顧客番号と、不動産管理、融資業務管理、販売管理または財務管理における作業目的と、が対応付けられた画面データを記憶する画面データ記憶手段、
を備え、
前記制御部において、
前記顧客番号および前記作業目的を入力させるための第一の画面を前記表示部に表示させる第一画面表示ステップと、
前記第一画面表示ステップにて表示された前記第一の画面に入力された前記顧客番号および前記作業目的に基づいて、前記画面データ記憶手段を検索して対応する前記画面データを抽出する画面データ抽出ステップと、
前記画面データ抽出ステップにて抽出された前記画面データの一覧を表示させるための第二の画面を前記表示部に表示させる第二画面表示ステップと、
前記第二画面表示ステップにて表示された前記画面データの一覧から、所望の前記画面データが選択された場合に、当該選択された前記画面データを表示させるための第三の画面を前記表示部に表示させる第三画面表示ステップと、
を実行させるための画面制御プログラム。
【発明の詳細な説明】
【技術分野】
【０００１】
本発明は、画面制御装置、画面制御方法および画面制御プログラムに関する。
【背景技術】
【０００２】
特許文献１には、ＷＷＷ（Ｗｏｒｌｄ  Ｗｉｄｅ  Ｗｅｂ）ブラウザの画面を表示するためのＨＴＭＬ（Ｈｙｐｅｒ  Ｔｅｘｔ  Ｍａｒｋｕｐ  Ｌａｎｇｕａｇｅ）ファイルを画面制御系とコンテンツ系に分類し、画面制御系のＨＴＭＬファイルの内容に対応してＷＷＷブラウザの画面を複数フレームに分割すると共にコンテンツ系のＨＴＭＬファイルの内容に対応した表示を行う技術が開示されている。
【先行技術文献】
【特許文献】
【０００３】
【特許文献１】特開平１０−１７１７５５号公報
【発明の概要】
【発明が解決しようとする課題】
【０００４】
しかしながら、画面に含まれる入力項目が多くなればなるほど、レスポンスが遅くなるという問題点がある。特に、処理性能の低い端末や通信性能の低い回線が使われている環境においては、レスポンスの遅れが顕著に現れる。
【０００５】
例えば、従来、目的に応じて、メニュー画面から使用する画面を探し、画面を起動する場合、キーとなる番号（場合によってはシステム特有の番号）を入力し、情報を呼び出さなければならなかったため、レスポンスが遅くなっていた。
【０００６】
本発明は、上記に鑑みてなされたものであって、画面に含まれる入力項目が多い場合に生じるレスポンスの遅れを、操作性（使い勝手）を維持したまま防ぐことができる画面制御装置、画面制御方法および画面制御プログラムを提供することを目的とする。
【課題を解決するための手段】
【０００７】
上述した課題を解決し、目的を達成するために、本発明にかかる画面制御装置は、記憶部、制御部および表示部を備えた画面制御装置であって、前記記憶部は、少なくとも顧客番号および目的が対応付けられた画面データを記憶する画面データ記憶手段、を備え、前記制御部は、前記顧客番号および前記目的を入力させるための第一の画面を前記表示部に表示させる第一表示実行手段と、前記第一表示実行手段により表示された前記第一の画面に入力された前記顧客番号および前記目的に基づいて、前記画面データ記憶手段を検索して対応する前記画面データを抽出する抽出手段と、前記抽出手段により抽出された前記画面データの一覧を表示させるための第二の画面を前記表示部に表示させる第二表示実行手段と、前記第二表示実行手段により表示された前記画面データの一覧から、所望の前記画面データが選択された場合に、当該選択された前記画面データを表示させるための第三の画面を前記表示部に表示させる第三表示実行手段と、を備えたことを特徴とする。
【０００８】
また、本発明にかかる画面制御装置は、前記の画面制御装置において、前記第一の画面、前記第二の画面および前記第三の画面はＷｅｂ画面であること、を特徴とする。
【０００９】
また、本発明にかかる画面制御装置は、前記の画面制御装置において、前記第一の画面は、前記画面データ記憶手段に記憶された前記顧客番号または前記目的を一覧で表示し、当該一覧から選択させることにより、前記顧客番号または前記目的を入力させること、を特徴とする。
【００１０】
また、本発明にかかる画面制御装置は、前記の画面制御装置において、前記制御部は、前記第一の画面に入力された前記目的に基づいて、前記第三の画面の所定の操作を制限させる制限手段、を更に備え、前記第三表示実行手段は、前記第二表示実行手段により表示された前記画面データの一覧から、所望の前記画面データが選択された場合に、前記制限手段により前記所定の操作を制限された前記第三の画面を前記表示部に表示させること、を特徴とする。
【００１１】
また、本発明にかかる画面制御方法は、記憶部、制御部および表示部を備えた画面制御装置で実行される画面制御方法であって、前記記憶部は、少なくとも顧客番号および目的が対応付けられた画面データを記憶する画面データ記憶手段、を備え、前記制御部で実行される、前記顧客番号および前記目的を入力させるための第一の画面を前記表示部に表示させる第一画面表示ステップと、前記第一画面表示ステップにて表示された前記第一の画面に入力された前記顧客番号および前記目的に基づいて、前記画面データ記憶手段を検索して対応する前記画面データを抽出する画面データ抽出ステップと、前記画面データ抽出ステップにて抽出された前記画面データの一覧を表示させるための第二の画面を前記表示部に表示させる第二画面表示ステップと、前記第二画面表示ステップにて表示された前記画面データの一覧から、所望の前記画面データが選択された場合に、当該選択された前記画面データを表示させるための第三の画面を前記表示部に表示させる第三画面表示ステップと、を含むことを特徴とする。
【００１２】
また、本発明にかかる画面制御プログラムは、記憶部、制御部および表示部を備えた画面制御装置に実行させるための画面制御プログラムであって、前記記憶部は、少なくとも顧客番号および目的が対応付けられた画面データを記憶する画面データ記憶手段、を備え、前記制御部において、前記顧客番号および前記目的を入力させるための第一の画面を前記表示部に表示させる第一画面表示ステップと、前記第一画面表示ステップにて表示された前記第一の画面に入力された前記顧客番号および前記目的に基づいて、前記画面データ記憶手段を検索して対応する前記画面データを抽出する画面データ抽出ステップと、前記画面データ抽出ステップにて抽出された前記画面データの一覧を表示させるための第二の画面を前記表示部に表示させる第二画面表示ステップと、前記第二画面表示ステップにて表示された前記画面データの一覧から、所望の前記画面データが選択された場合に、当該選択された前記画面データを表示させるための第三の画面を前記表示部に表示させる第三画面表示ステップと、を実行させることを特徴とする。
【発明の効果】
【００１３】
本発明によれば、（１）顧客番号および目的を入力させるための第一の画面を表示部に表示させ、（２）表示された第一の画面に入力された顧客番号および目的に基づいて、記憶部を検索して対応する画面データを抽出し、（３）抽出された画面データの一覧を表示させるための第二の画面を表示部に表示させ、（４）表示された画面データの一覧から、所望の画面データが選択された場合に、当該選択された画面データを表示させるための第三の画面を表示部に表示させる。これにより、画面に含まれる画面数、遷移数、または、システム特有の番号が多い場合に、メニュー画面から使用する画面を探す手間、および、システム特有の番号を控えておく必要が無くなることで、操作性を向上させることができるという効果を奏する。例えば、システムの利用目的と顧客とを指定することで、目的に応じた対象先と画面をシステムで判断し、システム特有のキー番号を入力せずに画面を自動的に起動できることで、業務の特性を考慮したユーザビリティを向上させることができるという効果を奏する。
【００１４】
また、本発明によれば、第一の画面、第二の画面および第三の画面はＷｅｂ画面であるので、通信性能の低い回線（例えばアナログ回線など）が使われている環境においても、画面に含まれる入力項目が多い場合に生じるレスポンスの遅れを、操作性（使い勝手）を維持したまま防ぐことができるという効果を奏する。
【００１５】
また、本発明によれば、第一の画面は、記憶部に記憶された顧客番号または目的を一覧で表示し、当該一覧から選択させることにより、顧客番号または目的を入力させる。これにより、画面に含まれる入力項目が多い場合に生じるレスポンスの遅れを、操作性（使い勝手）を維持したまま防ぐことができるという効果を奏する。
【００１６】
また、本発明によれば、（１）第一の画面に入力された目的に基づいて、第三の画面の所定の操作を制限させ、（２）表示された画面データの一覧から、所望の画面データが選択された場合に、所定の操作を制限された第三の画面を表示部に表示させる。これにより、ユーザの目的に応じて誤動作を抑制できるという効果を奏する。
【図面の簡単な説明】
【００１７】
【図１】図１は、業務管理装置１００の構成の一例を示すブロック図である。
【図２】図２は、業務管理装置１００で実行される処理の一例を示すフローチャートである。
【図３】図３は、顧客目的選択画面の一例を示す図である。
【図４】図４は、顧客目的選択画面の一例を示す図である。
【図５】図５は、顧客目的選択画面の一例を示す図である。
【図６】図６は、顧客目的選択画面の一例を示す図である。
【図７】図７は、台帳一覧画面の一例を示す図である。
【図８】図８は、台帳一覧画面の一例を示す図である。
【図９】図９は、物件一覧画面の一例を示す図である。
【図１０】図１０は、物件入力画面の一例を示す図である。
【発明を実施するための形態】
【００１８】
本発明にかかる画面制御装置、画面制御方法および画面制御プログラムの実施形態を、図面に基づいて詳細に説明する。なお、本発明は、この実施形態により限定されるものではない。
【００１９】
［１．構成］
本発明を包含する本実施形態にかかる業務管理システムの構成の一例について、図１を参照して説明する。業務管理システムは、業務管理装置１００と情報処理装置２００とネットワーク３００とで構成される。業務管理装置１００は、業務管理（例えば不動産管理（例えば不動産担保評価管理など）、融資業務管理、販売管理、財務管理など）を支援するアプリケーション（例えばＷｅｂアプリケーションなど）がインストールされている情報処理装置（例えばＷｅｂサーバなど）である。
【００２０】
業務管理装置１００は、ネットワーク３００（例えばインターネット、イントラネット、ＬＡＮ（Ｌｏｃａｌ  Ａｒｅａ  Ｎｅｔｗｏｒｋ）など）を介して、業務管理を支援するアプリケーションがインストールされている据置型または携帯型の情報処理装置２００（例えば、デスクトップ型のパーソナルコンピュータ、ノート型のパーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型のパーソナルコンピュータなど）と通信可能に接続されている。ネットワーク３００は、例えば、狭帯域回線または広帯域回線を利用したネットワークなどである。
【００２１】
業務管理装置１００は、制御部１０２と通信インターフェース部１０４と記憶部１０６と入出力インターフェース部１０８と、を備える。業務管理装置１００が備える各部は、任意の通信路を介して通信可能に接続されている。
【００２２】
通信インターフェース部１０４は、ルータ等の通信装置および専用線等の有線または無線の通信回線（例えば狭帯域回線または広帯域回線など）を介して、業務管理装置１００をネットワーク３００に通信可能に接続する。通信インターフェース部１０４は、他の装置と通信回線を介してデータを通信する機能を有する。
【００２３】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウスおよびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２４】
記憶部１０６には、各種のデータベース、テーブルおよびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスクおよび光ディスク等を用いることができる。記憶部１０６は、画面データ記憶部１０６ａを含む。
【００２５】
画面データ記憶部１０６ａは、本発明の第一の画面に相当する予め生成されたメイン画面（例えばＷｅｂ画面など）に関する、少なくとも顧客番号および目的（例えば、作業目的等）が対応付けられた画面データ、ならびに、本発明の第二の画面および第三の画面に相当するサブ画面（例えばＷｅｂ画面など）に関する画面データを格納する。なお、第一の画面は、画面データ記憶部１０６ａに記憶された顧客番号または目的を一覧で表示し、当該一覧から選択させることにより、顧客番号または目的を入力させる画面を含んでいてもよい。また、メイン画面は、データ（例えば、数字、文字または記号など）の入力ができる状態の複数の入力項目（例えばテキストボックスなど）と、データの表示を選択させるための表示選択領域（例えば、ユーザが入力装置１１２を操作して選択可能なボタンなど）とを少なくとも含むものである。また、サブ画面は、画面データを選択させるための画面、画面データを閲覧させるための画面、または、入力項目にデータを入力させるための画面である。
【００２６】
ここで、メイン画面およびサブ画面は、入力項目を行列形式で複数含み、入力項目の各々の行および／または列に関連するデータを表示するための表示領域を含むものでもよい。なお、表示領域に表示されるデータは、制御部１０２がメイン画面データと関連付けて記憶部１０６に格納しておいたものでもよい。
【００２７】
制御部１０２は、業務管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、表示実行部１０２ａと抽出部１０２ｂと制限部１０２ｃとを含む。
【００２８】
表示実行部１０２ａは、本発明の第一表示実行手段、第二表示実行手段および第三表示実行手段を含むものであり、メイン画面およびサブ画面をモニタ１１４または情報処理装置２００の出力装置２１４に表示させる。なお、表示実行部１０２ａは、メイン画面およびサブ画面を情報処理装置２００に転送してもよい。また、表示実行部１０２ａは、顧客番号および目的を入力させるための第一の画面（具体的には、顧客番号および目的の入力画面）をモニタ１１４または情報処理装置２００の出力装置２１４に表示させてもよい。また、表示実行部１０２ａは、後述する抽出部１０２ｂにより抽出された画面データの一覧を表示させるための第二の画面（具体的には、顧客番号および目的に合致する一覧）をモニタ１１４または情報処理装置２００の出力装置２１４に表示させてもよい。また、表示実行部１０２ａは、表示した画面データの一覧から、所望の画面データが選択された場合に、当該選択された画面データを表示させるための第三の画面（具体的には、所望の顧客番号および目的の画面）をモニタ１１４または情報処理装置２００の出力装置２１４に表示させてもよい。また、表示実行部１０２ａは、表示した画面データの一覧から、所望の画面データが選択された場合に、後述する制限部１０２ｃにより所定の操作を制限された第三の画面をモニタ１１４または情報処理装置２００の出力装置２１４に表示させてもよい。
【００２９】
抽出部１０２ｂは、表示実行部１０２ａにより表示された第一の画面に入力された顧客番号および目的に基づいて、画面データ記憶部１０６ａを検索して対応する画面データを抽出する。
【００３０】
制限部１０２ｃは、第一の画面に入力された目的に基づいて、第三の画面の所定の操作を制限させる。
【００３１】
情報処理装置２００は、制御部２０２と通信インターフェース部２０４と記憶部２０６と入出力インターフェース部２０８と、を備える。情報処理装置２００が備える各部は、任意の通信路を介して通信可能に接続されている。
【００３２】
通信インターフェース部２０４は、ルータ等の通信装置および専用線等の有線または無線の通信回線（例えば狭帯域回線または広帯域回線など）を介して、情報処理装置２００をネットワーク３００に通信可能に接続する。通信インターフェース部２０４は、他の装置と通信回線を介してデータを通信する機能を有する。
【００３３】
入出力インターフェース部２０８には、入力装置２１２および出力装置２１４が接続されている。出力装置２１４には、モニタ（家庭用テレビを含む）の他、スピーカやプリンタを用いることができる。入力装置２１２には、キーボード、マウスおよびマイクの他、マウスと協働してポインティングデバイス機能を実現するモニタを用いることができる。なお、以下では、出力装置２１４をモニタ２１４とし、入力装置２１２をキーボード２１２またはマウス２１２として記載する場合がある。
【００３４】
記憶部２０６には、各種のデータベース、テーブルおよびファイルなどが格納される。記憶部２０６には、ＯＳと協働してＣＰＵに命令を与えて各種処理を行うためのコンピュータプログラムが記録される。記憶部２０６として、例えば、ＲＡＭ・ＲＯＭ等のメモリ装置、ハードディスクのような固定ディスク装置、フレキシブルディスクおよび光ディスク等を用いることができる。記憶部２０６は、画面データ記憶部２０６ａを含む。
【００３５】
画面データ記憶部２０６ａは、業務管理装置１００から転送された画面データを格納する。
【００３６】
制御部２０２は、情報処理装置２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。制御部２０２は、機能概念的に、表示実行部２０２ａと指示転送部２０２ｂとを含む。
【００３７】
表示実行部２０２ａは、業務管理装置１００から転送された画面データを受信し、受信した画面データに基づいてメイン画面またはサブ画面をモニタ２１４に表示させる。指示転送部２０２ｂは、メイン画面またはサブ画面を介して行なわれたユーザからの指示の内容に関する情報を業務管理装置１００に転送する。
【００３８】
［２．処理］
上述した構成の業務管理システムで実行される処理の一例について、図２から１０を参照して説明する。図２は、業務管理システムで実行される処理の一例を示すフローチャートである。
【００３９】
ここで、本説明では、不動産担保評価管理を支援するＷｅｂアプリケーション（不動産担保評価管理アプリ）が業務管理装置１００および情報処理装置２００に予めインストールされていることを前提とする。また、本説明では、画面データ記憶部１０６ａには、不動産担保評価管理アプリで提供されるオリジナル（初期設定）の顧客目的選択画面（Ｗｅｂ画面）に関する顧客目的選択画面データ（顧客目的選択画面に表示させるデータを含む）、および、物件毎の物件入力画面（Ｗｅｂ画面）に関する物件入力画面データ（物件入力画面に表示させるデータを含む）が予め格納されていることを前提とする。なお、物件入力画面は、台帳新規入力、台帳修正入力、本台帳確認、作業台帳閲覧、台帳決裁・削除、物件新規入力、物件再評価、物件閲覧、ファイル添付、および、書類登録の作業目的に応じた画面であり、各作業目的に応じたモードで起動される画面である。また、オリジナルの顧客目的選択画面は、店番に対応する数字、顧客番号に対応する数字、および、作業目的に対応付けられた数字を入力ができる状態のテキストボックスを含み、またテキストボックスの各々に関連するデータを表示するための表示領域と、店番、顧客番号、または、作業目的を検索するための検索アイコンと、ユーザが物件を選択するためのラジオボタンと、対応する画面を表示させるための表示ボタンとを含む画面である。ここで、テキストボックスに入力される情報として、物件に関する数値、および、物件に関するデータに対応付けられた数字を一例として挙げたが、テキストボックスに入力される情報はこれに限らず例えば数値、文字または記号など何でもよい。
【００４０】
まず、表示実行部１０２ａは、画面データ記憶部１０６ａに予め格納されているオリジナルの顧客目的選択画面データを情報処理装置２００に転送し、表示実行部２０２ａに、転送されたオリジナルの顧客目的選択画面データに基づいて、顧客番号および作業目的を入力させるための顧客目的選択画面ＭＡをモニタ２１４に表示させる（ステップＳＡ１）。
【００４１】
なお、以下の説明は、図３に示す顧客目的選択画面ＭＡ、または、図１０に示す物件入力画面ＭＢもしくは物件入力画面ＭＣがモニタ２１４に表示されていることを前提とする。
【００４２】
ユーザは、マウス２１２を操作して顧客番号検索画面を表示させる検索アイコンＭＡ１を押下する。
【００４３】
ユーザにより検索アイコンＭＡ１が押下された場合（ステップＳＡ２：Ｙｅｓ）には、指示転送部２０２ｂは、押下された検索アイコンＭＡ１に対応する情報（具体的には、顧客番号検索画面を表示させる指示）を業務管理装置１００に転送し、表示実行部１０２ａは、転送された情報に基づいて、画面データ記憶部１０６ａに予め格納されている顧客番号検索画面に関する画面データを情報処理装置２００に転送し、表示実行部２０２ａは、転送された画面データに基づいて、顧客番号を一覧で表示し、当該一覧から選択させることにより、顧客番号を入力させる顧客番号検索画面を顧客目的選択画面ＭＡに重畳してモニタ２１４に表示させる（ステップＳＡ３）。
【００４４】
ユーザは、顧客番号検索画面に表示された顧客名称に対応する顧客番号を確認し、マウス２１２を操作して顧客番号を選択する。
【００４５】
ユーザにより顧客番号が選択された場合（ステップＳＡ４：Ｙｅｓ）には、表示実行部２０２ａは、当該顧客番号を顧客目的選択画面ＭＡのテキストボックスＭＡ２に表示させ、当該顧客番号に対応する顧客名称を、顧客目的選択画面ＭＡの検索アイコンＭＡ１右側の表示領域に表示させる（ステップＳＡ５）。なお、ユーザは、マウス２１２およびキーボード２１２を操作して、テキストボックスＭＡ２に直接、顧客番号を入力してもよい。
【００４６】
ユーザは、マウス２１２を操作して名称参照検索画面ＭＡ４を表示させる検索アイコンＭＡ３を押下する。
【００４７】
ユーザにより検索アイコンＭＡ３が押下された場合（ステップＳＡ６：Ｙｅｓ）には、指示転送部２０２ｂは、押下された検索アイコンＭＡ３に対応する情報（具体的には、名称参照検索画面ＭＡ４を表示させる指示）を業務管理装置１００に転送し、表示実行部１０２ａは、転送された情報に基づいて、画面データ記憶部１０６ａに予め格納されている名称参照検索画面ＭＡ４に関する画面データを情報処理装置２００に転送し、表示実行部２０２ａは、転送された画面データに基づいて、作業目的の名称を一覧で表示し、当該一覧から選択させることにより、作業目的を入力させる名称参照検索画面ＭＡ４を顧客目的選択画面ＭＡに重畳してモニタ２１４に表示させる（ステップＳＡ７）。
【００４８】
ユーザは、名称参照検索画面ＭＡ４に表示された作業目的の名称を確認し、マウス２１２を操作して作業目的に対応付けられた数字を選択する。
【００４９】
ユーザにより作業目的に対応付けられた数字が選択された場合（ステップＳＡ８：Ｙｅｓ）には、表示実行部２０２ａは、当該作業目的に対応付けられた数字を顧客目的選択画面ＭＡのテキストボックスＭＡ５に表示させ、作業目的の名称を顧客目的選択画面ＭＡの検索アイコンＭＡ３右側の表示領域に表示させる（ステップＳＡ９）。なお、ユーザは、マウス２１２およびキーボード２１２を操作して、テキストボックスＭＡ５に直接、作業目的に対応付けられた数字を入力してもよい。
【００５０】
ユーザは、顧客目的選択画面ＭＡに表示された顧客番号および作業目的を確認し、マウス２１２を操作して顧客番号および作業目的に合致する物件一覧を表示させる表示ボタンＭＡ６を押下する。
【００５１】
ここで、図４および５を参照して、本実施形態における顧客目的選択画面の一例について説明する。図４に示すように、本実施形態における顧客目的選択画面においては、店番に対応する数字、および、顧客番号に対応する数字を入力ができる状態のテキストボックスを含み、ユーザが所望する項目（台帳、評価、決裁、および、その他）に対する作業目的となる処理（台帳の新規、修正、および、閲覧、評価の新規、修正、再評価、および、閲覧、台帳決裁、および、物件決裁、ならびに、洗替、任意競売、および、ファイル（図３の名称参照検索画面ＭＡ４に含まれる「名称」に対応））を選択する選択ボタン、および、当該処理の条件（否決、満了、取り下げ、または、旧評価物件を含める）を選択するチェックボックスを含んでおり、所望の顧客番号および作業目的に合致する項目の一覧画面を表示させる表示ボタン、および、前画面への戻るボタンを含んでいてもよい。
【００５２】
また、図５に示すように、本実施形態における顧客目的選択画面においては、店番に対応する数字、および、顧客番号に対応する数字を入力ができる状態のテキストボックスを含み、ユーザが所望する項目（台帳、評価、決裁、および、その他）を選択可能なタブを含んでおり、台帳に関するタブには、台帳に対する作業目的となる処理（新規、台帳修正、本台帳閲覧、および、作業台帳閲覧）を選択する選択ボタン、および、当該処理の条件（否決を含める、または、満了を含める）を選択するチェックボックスを含んでおり、所望の顧客番号および作業目的に合致する項目の一覧画面を表示させる表示ボタン、入力取消ボタン、印刷ボタン、顧客マスタ表示ボタン、および、前画面への戻るボタンを含んでいてもよい。なお、本実施形態における顧客目的選択画面は、図３のように一覧画面等と共に同じウィンドウ内に表示されてもよく、図４および図５のように個別のウィンドウ内に表示されてもよい。
【００５３】
ここで、図６を参照して、本実施形態における顧客目的選択画面に含まれるタブの一例について説明する。図６に示すように、評価に関するタブには、評価に対する作業目的となる処理（新規、修正、再評価、および、閲覧）を選択する選択ボタン、および、当該処理の条件（取下を含める、または、旧評価物件を含める）を選択するチェックボックスを含んでいてもよい。また、図６に示すように、決裁に関するタブには、決裁に対する各処理（実行情報、台帳決裁、および、物件決裁）を選択する選択ボタンを含んでいてもよい。また、図６に示すように、その他に関するタブには、その他の作業目的となる処理（洗替、任意競売、および、ファイル）を選択する選択ボタンを含んでいてもよい。
【００５４】
図３に戻り、ユーザにより表示ボタンＭＡ６が押下された場合（ステップＳＡ１０：Ｙｅｓ）には、指示転送部２０２ｂは、押下された表示ボタンＭＡ６に対応する情報（具体的には、顧客番号および作業目的に合致する物件を表示させる指示）を業務管理装置１００に転送し、抽出部１０２ｂは、転送された情報に基づいて、画面データ記憶部１０６ａを検索して対応する画面データを抽出し、表示実行部１０２ａは、抽出部１０２ｂにより抽出された画面データの一覧を表示させるための物件一覧画面ＭＡ７に関する画面データを情報処理装置２００に転送し、表示実行部２０２ａは、転送された画面データに基づいて、顧客番号および作業目的に合致する物件一覧を表示させるための物件一覧画面ＭＡ７を含む顧客目的選択画面ＭＡをモニタ２１４に表示させる（ステップＳＡ１１）。
【００５５】
ユーザは、物件一覧画面ＭＡ７に表示された物件一覧を確認し、マウス２１２を操作して所望の物件に対応するラジオボタンを選択し、当該所望の物件の物件入力画面ＭＢおよび物件入力画面ＭＣを表示させる表示ボタンＭＡ８を押下する。
【００５６】
ここで、図７を参照して、本実施形態における台帳一覧画面の一例について説明する。図７に示すように、本実施形態において、ユーザが台帳の作業目的となる処理（例えば、台帳の新規、修正、再評価、または、閲覧等）を作業目的として特定の顧客番号の台帳一覧を表示させるために、ユーザにより表示ボタンが押下された場合、台帳をユーザが選択するためのラジオボタン、台帳の詳細項目（顧客番号、債務者名、台帳状態、設定年月日、権利内容、設定額、および、洗替年月日）、所望の台帳の台帳入力画面を表示させる表示ボタン、選択取消ボタン、台帳一覧印刷ボタン、顧客マスタ表示ボタン、および、前画面への戻るボタンを含む台帳一覧画面が表示されてもよい。
【００５７】
ここで、図８を参照して、本実施形態における台帳一覧画面に含まれる詳細項目の一例について説明する。図８に示すように、本実施形態における台帳の詳細項目は、ユーザが台帳を識別可能な程度に項目数を絞った項目（顧客番号、債務者名、台帳状態、設定額合計、および、洗替年月日）のみで構成されるものであってもよい。
【００５８】
また、図９を参照して、本実施形態における物件一覧画面の一例について説明する。図９に示すように、本実施形態において、ユーザが物件の作業目的となる処理（例えば、物件の新規、修正、再評価、または、閲覧等）を作業目的として特定の顧客番号の物件一覧を表示させるために、ユーザにより表示ボタンが押下された場合、物件をユーザが選択するためのラジオボタン、物件の詳細項目（顧客番号、債務者名、管理番号、調査状況、決裁状況、所在地、地番、実査日、登記簿種類、土地種類、および、建物種類）、所望の物件の物件入力画面を表示させる表示ボタン、選択取消ボタン、物件一覧印刷ボタン、顧客マスタ表示ボタン、および、前画面への戻るボタンを含む物件一覧画面が表示されてもよい。
【００５９】
図３に戻り、ユーザにより表示ボタンＭＡ８が押下された場合（ステップＳＡ１２：Ｙｅｓ）には、指示転送部２０２ｂは、押下された表示ボタンＭＡ８に対応する情報（具体的には、所望の物件の物件入力画面ＭＢおよび物件入力画面ＭＣを表示させる指示）を業務管理装置１００に転送し、表示実行部１０２ａは、転送された情報に基づいて、ユーザにより選択された作業目的に対応付けられた数字に基づき、制限部１０２ｃにより所定の操作を制限された、画面データ記憶部１０６ａに格納されている物件入力画面ＭＢおよび物件入力画面ＭＣに関する画面データを情報処理装置２００に転送し、表示実行部２０２ａは、図１０に示すように、転送された画面データに基づいて、所望の物件の物件入力画面ＭＢおよび物件入力画面ＭＣをモニタ２１４に表示させ（ステップＳＡ１３）、処理を終了する。例えば、表示実行部１０２ａは、作業目的が閲覧である場合に、制限部１０２ｃにより物件明細へのユーザからの入力を制限した、物件明細を参照するだけの参照専用モードの物件入力画面ＭＢおよび物件入力画面ＭＣをモニタ２１４に表示させる。
【００６０】
また、不動産担保評価管理アプリでは、上述した物件修正入力の作業目的に応じた物件入力画面以外に、台帳決裁・削除の作業目的に応じた台帳決裁・削除画面と、物件新規入力、物件再評価および物件内容確認の作業目的に応じた物件入力画面と、ファイル添付の作業目的に応じた書類登録画面と、物件決裁・削除の作業目的に応じた物件決裁・削除画面と、実行情報入力の作業目的に応じた実行情報入力画面となどを提供することが可能であるが、これらの画面に対しても同様に本処理を適用することができる。
【００６１】
また、不動産担保評価管理アプリでは、作業目的に応じたモードで画面を起動させるが、当該アプリには、台帳修正入力、物件修正入力、ファイル添付、台帳決裁・削除、物件決裁・削除および実行情報入力の作業目的に応じた修正可能モードと、台帳新規入力および物件新規入力の作業目的に応じた新規登録モードと、本台帳確認、作業台帳確認および物件内容確認の作業目的に応じた参照専用モードと、物件再評価の作業目的に応じた再評価モードとが用意されてもよい。
【００６２】
［本実施形態のまとめ、および他の実施形態］
以上、本実施形態によれば、（１）情報処理装置２００が、ユーザにより検索アイコンＭＡ１が押下された場合には、押下された検索アイコンＭＡ１に対応する情報を業務管理装置１００に転送し、業務管理装置１００が、転送された情報に基づいて、顧客番号検索画面に関する画面データを情報処理装置２００に転送し、情報処理装置２００が、転送された画面データに基づいて、顧客番号を一覧で表示し、当該一覧から選択させることにより、顧客番号を入力させる顧客番号検索画面を顧客目的選択画面ＭＡに重畳してモニタ２１４に表示させ、（２）情報処理装置２００が、ユーザにより顧客番号が選択された場合には、当該顧客番号を顧客目的選択画面ＭＡのテキストボックスＭＡ２に表示させ、当該顧客番号に対応する顧客名称を、顧客目的選択画面ＭＡの検索アイコンＭＡ１右側の表示領域に表示させ、（３）情報処理装置２００が、ユーザにより検索アイコンＭＡ３が押下された場合には、押下された検索アイコンＭＡ３に対応する情報を業務管理装置１００に転送し、業務管理装置１００が、転送された情報に基づいて名称参照検索画面ＭＡ４に関する画面データを情報処理装置２００に転送し、情報処理装置２００が、転送された画面データに基づいて、目的の名称を一覧で表示し、当該一覧から選択させることにより、目的を入力させる名称参照検索画面を顧客目的選択画面ＭＡに重畳してモニタ２１４に表示させ、（４）情報処理装置２００が、ユーザにより目的に対応付けられた数字が選択された場合には、当該目的に対応付けられた数字を顧客目的選択画面ＭＡのテキストボックスＭＡ５に表示させ、目的の名称を顧客目的選択画面ＭＡの検索アイコンＭＡ３右側の表示領域に表示させ、（５）情報処理装置２００が、ユーザにより表示ボタンＭＡ６が押下された場合には、押下された表示ボタンＭＡ６に対応する情報を業務管理装置１００に転送し、業務管理装置１００が、転送された情報に基づいて検索して対応する画面データを抽出し、抽出された画面データの一覧を表示させるための物件一覧画面ＭＡ７に関する画面データを情報処理装置２００に転送し、情報処理装置２００が、転送された画面データに基づいて、顧客番号および目的に合致する物件一覧を表示させるための物件一覧画面ＭＡ７を含む顧客目的選択画面ＭＡをモニタ２１４に表示させ、（６）情報処理装置２００が、ユーザにより表示ボタンＭＡ８が押下された場合には、押下された表示ボタンＭＡ８に対応する情報を業務管理装置１００に転送し、業務管理装置１００が、転送された情報に基づいて、所望の物件の物件入力画面ＭＢおよび物件入力画面ＭＣに関する画面データを情報処理装置２００に転送し、情報処理装置２００が、転送された画面データに基づいて、所望の物件の物件入力画面ＭＢおよび物件入力画面ＭＣをモニタ２１４に表示させる。これにより、画面に含まれる画面数、遷移数、または、システム特有の番号が多い場合に、メニュー画面から使用する画面を探す手間、および、システム特有の番号を控えておく必要が無くなることで、操作性を向上させることができる。
【００６３】
また、本発明によれば、顧客目的選択画面ＭＡ、物件一覧画面ＭＡ７および物件入力画面ＭＢおよび物件入力画面ＭＣはＷｅｂ画面であるので、通信性能の低い回線が使われている環境においても、画面に含まれる入力項目が多い場合に生じるレスポンスの遅れを、操作性（使い勝手）を維持したまま防ぐことができる。
【００６４】
また、本発明によれば、顧客目的選択画面ＭＡは、顧客番号または目的を一覧で表示し、当該一覧から選択させることにより、顧客番号または目的を入力させる。これにより、画面に含まれる入力項目が多い場合に生じるレスポンスの遅れを、操作性（使い勝手）を維持したまま防ぐことができる。
【００６５】
また、本発明によれば、（１）業務管理装置１００が、顧客目的選択画面ＭＡに入力された目的に基づいて、物件入力画面ＭＢおよび物件入力画面ＭＣの所定の操作を制限させ、（２）情報処理装置２００が、表示された物件の一覧から、所望の物件が選択された場合に、所定の操作を制限された物件入力画面ＭＢおよび物件入力画面ＭＣをモニタ２１４に表示させる。これにより、ユーザの目的に応じて誤動作を抑制できる。
【００６６】
また、これまで本発明の実施形態について説明したが、本発明は、上述した実施形態以外にも、特許請求の範囲に記載した技術的思想の範囲内において種々の異なる実施形態にて実施されてよいものである。
【００６７】
例えば、上述した実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００６９】
また、業務管理装置１００および情報処理装置２００に関して、図示の各構成要素は機能概念的なものであり、必ずしも物理的に図示の如く構成されていることを要しない。
【００７０】
例えば、業務管理装置１００および情報処理装置２００が備える処理機能、特に制御部１０２および制御部２０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、情報処理装置に本発明にかかる画面制御方法を実行させるためのプログラム化された命令を含む一時的でないコンピュータ読み取り可能な記録媒体に記録されており、必要に応じて業務管理装置１００および情報処理装置２００に機械的に読み取られる。すなわち、ＲＯＭまたはＨＤＤ（Ｈａｒｄ  Ｄｉｓｋ  Ｄｒｉｖｅ）などの記憶部１０６および記憶部２０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７１】
また、このコンピュータプログラムは、業務管理装置１００および情報処理装置２００に対して任意のネットワークを介して接続されたアプリケーションプログラムサーバに記憶されていてもよく、必要に応じてその全部または一部をダウンロードすることも可能である。
【００７２】
また、本発明にかかる画面制御プログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ  Ｄｉｓｃ等の任意の「可搬用の物理媒体」を含むものとする。
【００７３】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７４】
記憶部１０６および記憶部２０６に格納される各種のデータベース等（画面データ記憶部１０６ａ、および、画面データ記憶部２０６ａ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７５】
また、業務管理装置１００および情報処理装置２００は、既知のパーソナルコンピュータまたはワークステーション等の情報処理装置として構成してもよく、また、任意の周辺装置が接続された当該情報処理装置として構成してもよい。また、業務管理装置１００および情報処理装置２００は、当該情報処理装置に本発明の画面制御方法を実現させるソフトウェア（プログラムまたはデータ等を含む）を実装することにより実現してもよい。
【００７６】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【符号の説明】
【００７７】
１００  業務管理装置
１０２  制御部
１０２ａ  表示実行部
１０２ｂ  抽出部
１０２ｃ  制限部
１０４  通信インターフェース部
１０６  記憶部
１０６ａ  画面データ記憶部
１０８  入出力インターフェース部
１１２  入力装置
１１４  出力装置
２００  情報処理装置
２０２  制御部
２０２ａ  表示実行部
２０２ｂ  指示転送部
２０４  通信インターフェース部
２０６  記憶部
２０６ａ  画面データ記憶部
２０８  入出力インターフェース部
２１２  入力装置
２１４  出力装置
３００  ネットワーク
【図１】
0006016467.tif 000002
【図２】
0006016467.tif 000003
【図３】
0006016467.tif 000004
【図４】
0006016467.tif 000005
【図５】
0006016467.tif 000006
【図６】
0006016467.tif 000007
【図７】
0006016467.tif 000008
【図８】
0006016467.tif 000009
【図９】
0006016467.tif 000010
【図１０】
0006016467.tif 000011